(57)【要約】  【課題】  フィルタ上のごみを自動的に清掃する小型のフィルタ清掃機能付き空気調和機において、フィルタがゴミ除去手段に押圧されて変形しないようにする。  【解決手段】  本体１の前面上部および上面に設けられた吸込口２と、前面下部に設けられた吹出口３とを結ぶ空気通路に、フィルタ４と、熱交換器６と、送風ファン５とを夫々設けるとともに、前記フィルタ４上のごみを除去するごみ除去手段11を設けてなる空気調和機において、前記フィルタ４と前記熱交換器６間に、前記フィルタを支持する支持部材を配置した。【選択図】  図３
2006220418.tif 000002
【特許請求の範囲】
【請求項１】
本体の吸込口と吹出口を結ぶ空気通路に、フィルタと、前記フィルタの下流側に設けられた熱交換器と、前記熱交換器の下流側に設けられた送風ファンとを設けるとともに、前記本体内で前記フィルタの前面側にごみ除去手段を設けてなる空気調和機において、
前記ごみ除去手段はフィルタに接触してフィルタからごみを除去するごみ除去部を備え、
前記フィルタと前記熱交換器の間に、前記フィルタがごみ除去手段により前記熱交換器側に押された場合に前記フィルタを支持する支持手段を設けてなる空気調和機。
【請求項２】
本体の吸込口と吹出口を結ぶ空気通路に、フィルタと、前記フィルタの下流側に設けられた熱交換器と、前記熱交換器の下流側に設けられた送風ファンとを設けるとともに、前記本体内で前記フィルタの前面側にごみ除去手段を設けてなる空気調和機において、
前記ごみ除去手段はフィルタに接触してフィルタからごみを除去するごみ除去部を備え、
前記フィルタと前記熱交換器の間に前記フィルタの周縁部以外の面を支持する支持部材を設けてなる空気調和機。
【請求項３】
本体の吸込口と吹出口を結ぶ空気通路に、フィルタと、前記フィルタの下流側に設けられた熱交換器と、前記熱交換器の下流側に設けられた送風ファンとを設けるとともに、前記本体内で前記フィルタの前面側にごみ除去手段を設けてなる空気調和機において、
前記ごみ除去手段はフィルタに接触してフィルタからごみを除去するごみ除去部を備えると共に、前記フィルタの前面側を移動可能に設けられており、
前記フィルタと前記熱交換器の間でかつ前記ごみ除去部が通過する位置に前記フィルタを支持する支持部材を設けてなる空気調和機。
【発明の詳細な説明】
【技術分野】
【０００１】
本発明は、空気調和機に係わり、より詳細には、フィルタ上のごみを自動的に清掃するフィルタ清掃機能に関する。
【背景技術】
【０００２】
従来の空気調和機は、例えば特開平１１ー１５９８５４号公報で開示されているように、フィルタをユーザの手によって本体の前面パネルから抜き出して洗浄し、再度ユーザの手によって本体の前面パネルの内側に挿入していた。
【０００３】
この場合、空気調和機が通常は部屋の高所に設置されていることから、高齢者や女性にとってフィルタの着脱が高所作業となって困難を極めたり、フィルタを洗浄する作業自体が敬遠されやすいという問題を有していた。
【０００４】
これに対し、実開平４ー３３９１６号公報や、実開平４ー５０３２０号公報などで開示されているように、フィルタの清掃装置付きの空気調和機の提案がなされた。
【０００５】
しかしながら、従来のフィルタの清掃装置付きの空気調和機は、次のような問題点を有していた。
【０００６】
すなわち、実開平４ー３３９１６号公報においては、平板のフィルタを水平方向に移動するブラシでこするという方法であることから、適用が平板のフィルタに限られていた。
【０００７】
一方、近年の空気調和機は、小型化を目的として複雑に折れ曲がったフィルタを装着しており、実開平４ー３３９１６号公報で開示されている方法では全く対応できないものであった。
【０００８】
また、実開平４ー５０３２０号公報においては、回転ローラによって空気調和機の外部にフィルタを引き出し、予め設けておいた吸引筒と吸込パイプからフィルタ上のごみを吸引した上、再びフィルタを空気調和機内の所定の場所に戻すというものであった。
【０００９】
しかしながらこの方法においては、空気調和機外に吸引筒や吸込パイプを設けねばならず、外観性を損なう上、ユーザの機材設置費用の負担も相当なものになるという問題点を有していた。
【００１０】
更にこの方法は、空気調和機の空気吸込口が前面のみにあり、かつ熱交換器が平坦なものに限られるという構造上の制約があり、近年の空気吸込口が前面から上面にかけて設けられ、熱交換器が複雑に折れ曲がっているものに対しては、実開平４ー５０３２０号公報で開示された方法では全くできないものであった。
【特許文献１】実開平４ー３３９１６号
【特許文献２】実開平４ー５０３２０号
【発明の開示】
【発明が解決しようとする課題】
【００１１】
本発明においては、上記の問題点に鑑み、フィルタ上のごみを自動的に清掃するフィルタ清掃機能付きの空気調和機において、より確実に清掃を行なえるようにすることを目的とする。
【課題を解決するための手段】
【００１２】
本発明は上記課題を解決するため、本体の吸込口と吹出口を結ぶ空気通路に、フィルタと、前記フィルタの下流側に設けられた熱交換器と、前記熱交換器の下流側に設けられた送風ファンとを設けるとともに、前記本体内で前記フィルタの前面側にごみ除去手段を設けてなる空気調和機において、前記ごみ除去手段はフィルタに接触してフィルタからごみを除去するごみ除去部を備え、前記フィルタと前記熱交換器の間に、前記フィルタがごみ除去手段により前記熱交換器側に押された場合に前記フィルタを支持する支持手段を設けた構成となっている。
また、本体の吸込口と吹出口を結ぶ空気通路に、フィルタと、前記フィルタの下流側に設けられた熱交換器と、前記熱交換器の下流側に設けられた送風ファンとを設けるとともに、前記本体内で前記フィルタの前面側にごみ除去手段を設けてなる空気調和機において、前記ごみ除去手段はフィルタに接触してフィルタからごみを除去するごみ除去部を備え、前記フィルタと前記熱交換器の間に前記フィルタの周縁部以外の面を支持する支持部材を設けた構成となっている。
また、本体の吸込口と吹出口を結ぶ空気通路に、フィルタと、前記フィルタの下流側に設けられた熱交換器と、前記熱交換器の下流側に設けられた送風ファンとを設けるとともに、前記本体内で前記フィルタの前面側にごみ除去手段を設けてなる空気調和機において、前記ごみ除去手段はフィルタに接触してフィルタからごみを除去するごみ除去部を備えると共に、前記フィルタの前面側を移動可能に設けられており、前記フィルタと前記熱交換器の間でかつ前記ごみ除去部が通過する位置に前記フィルタを支持する支持部材を設けた構成となっている。
【発明の効果】
【００１３】
以上説明したように、本発明によれば、フィルタ上のごみを自動的に清掃できるようにしたフィルタ清掃機能付きの空気調和機において、より確実に清掃を行なえるものとなる。
【発明を実施するための最良の形態】
【００１４】
以下、本発明の実施の形態を図面に基づいた実施例として詳細に説明する。
【００１５】
図１および図２は本発明による空気調和機の一実施例を示す斜視図で、図１は向かって右方向から見た斜視図であり、図２は向かって左方向から見た斜視図である。
【００１６】
図１および図２において、１は本発明による空気調和機本体、２は同本体１の前面から上面にかけて設けられた吸込口、３は前記本体１の下部に設けられた吹出口である。
【００１７】
前記吸込口２と、前記吹出口３とを結ぶ空気通路には、空気中の粗ごみを取り除くフィルタ４と、ファンモータ８に連係された送風ファン５と、熱交換器６とが設けられている。
【００１８】
９は前記フィルタ４を清掃するためのフィルタ清掃装置であり、前記フィルタ４を前記本体１の内側に沿って回動させる回動手段10と、前記フィルタ４上のごみを除去するごみ除去手段11と、ごみを収納するごみ収納部12とから構成されている。
【００１９】
前記ごみ除去手段11は、前記フィルタ４上を移動自在に形成されたごみ吸引部13と、前記本体１の側面空間内に配置された吸引ファン部14と、前記ごみ吸引部13と前記吸引ファン部14とを連結する吸引ダクト部15とからなる構成となっている。
【００２０】
前記フィルタ４上には固定レール16が設けられている。
【００２１】
前記固定レール16の一端または前記本体１の一部には巻き取りモータ17が設けられ、前記巻き取りモータ17と前記ごみ吸引部13とは、巻き取り式の薄板ばね18で連結されている。
【００２２】
前記巻き取りモータ17を駆動することにより、前記薄板ばね18が巻き取られ、前記ごみ吸引部13が移動するように形成されている。
【００２３】
前記吸引ファン部14は羽根車22とケーシング23とで構成され、前記羽根車22は、前記送風ファン５に連係されたファンモータ８と反対側の軸に連結するように形成されている。
【００２４】
前記ごみ収納部12は、前記フィルタ４よりもメッシュの細かい網目で形成され、前記ごみ収納部12の網目が前記吸引ファン部14の吸込口24と連通するように形成されている。
【００２５】
前記吸引ファン部14の吐出口25は、前記本体１の背面側に連通するように形成されている。
【００２６】
前記フィルタ４は、その回動時に前記本体１の背面側に延伸可能となるように、前記本体１の背面の一部にはフィルタ通過溝27が設けられている。
【００２７】
また、前記フィルタ４は、その回動時に前記本体１の前面側に延伸可能となるように、前記本体１の前面の一部または前面パネル20の一部にはフィルタ通過溝28が設けられている。
【００２８】
図３は、前記ごみ除去手段11を構成する前記ごみ吸引部13周辺を拡大した部分断面図であり、図４は、前記ごみ吸引部13と前記吸引ダクト部14を前記フィルタ４側から見た平面図である。
【００２９】
図３および図４において、前記ごみ除去手段11を構成する前記ごみ吸引部13と前記吸引ダクト部15とは、前記フィルタ４上に設けられた固定レール16に、滑動自在に設けられている。
【００３０】
前記フィルタ４は、前記熱交換器６と前記前面パネル20との間に移動自在に設けられ、前記フィルタ４と前記熱交換器６との間には、枠状のスペーサ21が設けられている。
【００３１】
前記スペーサ21が設けられたことにより、前記フィルタ４が前記熱交換器６に接触することが防止され、前記熱交換器６上の水滴によって前記フィルタ４が濡れることにより、ごみが付着して吸引されにくくなってしまうということがなくなる。
【００３２】
前記ごみ吸引部13には、吸引口の縁面に沿うようにブラシ部26が設けられている。
【００３３】
前記吸引ダクト部15は、前記固定レール16の前記ごみ収納部12側の一部と、前記固定レール16とに滑動自在に設けられた伸縮手段19とからなる構成となっている。
【００３４】
前記固定レール16は、対向する上レール16a と下レール16b とで構成され、前記伸縮手段19は巻き取り式の薄板ばね19a および19b とで構成されている。
【００３５】
そして、前記上レール16a と前記下レール16b 、および前記薄板ばね19a 、19b とで囲まれた空間により、伸縮自在の吸引ダクト部15が形成されている。
【００３６】
以上のように形成されたことによって、本発明による前記フィルタ清掃装置９は次のように作用する。
【００３７】
すなわち、前記フィルタ４上に付着したごみは、前記ごみ吸引部13が移動するにつれ吸引され、前記吸引ダクト15内を通って前記ごみ収納部12に運ばれ、そこに捕捉される。
【００３８】
前記ごみ収納部12は、前記フィルタ４よりもメッシュの細かい網目で形成されているので、ごみが網目からすり抜けてしまうということはない。
【００３９】
前記ごみ吸引部13が移動しても、前記吸引ダクト15は前記伸縮手段19によって形成されているので、ダクトが伸縮しごみがダクト外に漏れることはない。
【００４０】
また、前記ごみ吸引部13が左右に移動するとともに、前記フィルタ４が前記回動手段10によってそれと直角方向に移動されるので、前記フィルタ４のほぼ前部の面積についてごみを吸引することができるようになり、前記フィルタ４の清掃が効果的に行われることになる。
【図面の簡単な説明】
【００４１】
【図１】本発明による空気調和機の一実施例を示す斜視図である。
【図２】本発明による空気調和機の一実施例を示す説明図である。
【図３】本発明による空気調和機のごみ吸引部周辺を拡大した部分断面図である。
【図４】本発明による空気調和機のごみ吸引部と吸引ダクト部とをフィルタ側から見た平面図である。
【符号の説明】
【００４２】
１  空気調和機本体
２  吸込口
３  吹出口
４  フィルタ
５  送風ファン
６  熱交換器
７  ドレンパン
８  モータ
９  フィルタ清掃装置
10  回動手段
11  ごみ除去手段
12  ごみ収納部
13  ごみ吸引部
14  吸引ファン部
15  吸引ダクト部
16  固定レール
16a 上レール
16b 下レール
17  巻き取りモータ
18  薄板ばね
19  伸縮手段
19a ，19b 薄板ばね
20  前面パネル
21  スペーサ
22  羽根車
23  ケーシング
24  吸込口
25  吹出口
26  ブラシ部
27，28  フィルタ通過溝
【図１】
2006220418.tif 000003
【図２】
2006220418.tif 000004
【図３】
2006220418.tif 000005
【図４】
2006220418.tif 000006